(57)【要約】【課題】家具用脚キャップの設計・製造の工数削減、コスト低減を図る。【解決手段】キャップ本体１０は、有底筒形に成形され、筒の内壁に円周方向に沿って傾斜面１１Ａを有した４つの突起部１１が連続的に形成されている。回転中空蓋２０は溝２１Ａが設けられたリング部２１と、リング部２１の下端から延び、キャップ本体１０の４つの突起部１１に対応した４枚の板片２２を備えている。回転中空蓋２０の溝２１Ａにキャップ本体１０の上部が回転自在に嵌め込まれる。そして、回転中空蓋２０を回転させることにより、４枚の板片２２が、傾斜面１１Ａに沿って回転角度に応じた高さまで、４つの突起部１１上に乗り上げるように構成されている。【選択図】図４
2008017901.tif 000002
【特許請求の範囲】
【請求項１】
家具用脚の下端に装着する家具用脚キャップにおいて、
筒形に成形され、筒の内壁に円周方向に沿って傾斜面を有した複数の突起部が形成されたキャップ本体と、
このキャップ本体の上部に回転自在に嵌め込まれ、複数の突起部に当接するように
延びた複数の板片を有する回転中空蓋とを備え、
回転中空蓋の回転角度に応じて、複数の板片が傾斜面に沿って複数の突起部に乗り上げるようにしたことを特徴とする家具用脚キャップ。
【請求項２】
前記キャップ本体は硬質プラスチック製であり、回転中空蓋は軟質プラスチック製であることを特徴とする請求項１に記載の家具用脚キャップ。
【請求項３】
前記キャップ本体の底に床面保護材を接着したことを特徴とする請求項１に記載の家具用脚キャップ。
【発明の詳細な説明】
【技術分野】
【０００１】
本発明は、椅子やテーブルなどの家具用脚の下端に装着して、床が傷ついたり、騒音が出たりするのを防止する家具用脚キャップに関する。
【背景技術】
【０００２】
従来、椅子等の家具を移動する際に、家具の脚によって床面がすれることにより、床面が傷ついたり、騒音が発生する等の不都合があった。そこで、椅子の脚の底面にフェルトを取り付けることにより、床面を保護していた。従来、椅子の脚は木製のものが普通であり、フェルトは釘等を用いて脚の底面に打ち込むことで取り付けていた。
【０００３】
最近では、デザイン性の向上などの観点から椅子等の脚は金属パイプ製のものが普及しつつある。このような金属製の椅子等の脚にフェルトを打ち込むことは困難であることから、脚の下端にプラスチック製のフェルト付きキャップを装着して、床面を保護するというのが一般的である。
【特許文献１】特開平１０−９９１５０号公報
【特許文献２】特開２００２−１７４８９号公報
【特許文献３】登録実用新案公報  第３０５２０５１号
【発明の開示】
【発明が解決しようとする課題】
【０００４】
しかしながら、椅子等の種類によって、その脚のパイプ径が異なっているために、１種類のキャップでは対応できない。そこで、脚のパイプ経に合わせて何種類ものキャップを設計・製造しなければならず、設計・製造の工数が増え、コストが高くなるという問題があった。
【課題を解決するための手段】
【０００５】
本発明は上述した従来技術の課題に鑑みてなされたものであり、家具用脚の下端に装着する家具用脚キャップにおいて、筒形に成形され、筒の内壁に円周方向に沿って傾斜面を有した複数の突起部が形成されたキャップ本体と、このキャップ本体の上部に回転自在に嵌め込まれ、複数の突起部に当接するように延びた複数の板片を有する回転中空蓋とを備え、回転中空蓋の回転角度に応じて、複数の板片が傾斜面に沿って複数の突起部に乗り上げるようにしたことを特徴とするものである。
【０００６】
かかる構成によれば、回転中空蓋の回転角に応じて、複数の板片が傾斜面に沿って複数の突起部に乗り上げるように構成されている。即ち、回転中空蓋の回転角が大きくなるに従って、複数の板片は傾斜面に沿ってより高い位置に移動するので、複数の板片によって囲まれた空間は狭くなり、回転中空蓋を逆回転させれば、複数の板片は傾斜面に沿ってより低い位置に降りてくるので、複数の板片によって囲まれた空間は広くなる。したがって、家具用脚のパイプ径に合わせて回転中空蓋の回転角を調整するとによって、家具用脚の下端に複数の板片を密着させ、家具用脚キャップを脱落させることなく密嵌装着することができる。
【発明の効果】
【０００７】
本発明によれば、１つの家具用脚キャップを複数のパイプ径の異なる家具用脚に密嵌装着することができる。これにより、家具用脚キャップの設計・製造の工数削減、コスト低減に寄与することができる。
【発明を実施するための最良の形態】
【０００８】
以下、本発明の実施の形態による家具用脚キャップについて説明する。この家具用脚キャップは、キャップ本体１０の上部に回転自在に嵌め込まれる回転中空蓋２０からなる。図１はキャップ本体１０を示しており、図１（Ａ）はその上面図、図１（Ｂ）はその正面図、図１（Ｃ）はその斜視図である。図２は、回転中空蓋２０を示しており、図２（Ａ）その上面図、図２（Ｂ）はその正面図、図２（Ｃ）はその斜視図であるである。
【０００９】
キャップ本体１０は、硬質プラスチック製で有底筒形に成形され、筒の内壁に円周方向に沿って傾斜面１１Ａを有した４つの突起部１１が連続的に形成されている。４つの突起部１１は、いずれも同じ形状を有している。時計回りに見ると、１つの突起部１１の傾斜面１１Ａが筒の内壁から筒の中心軸方向に向かって小さな角度で持ち上がり、最大の高さとなった後に大きな角度で筒の内壁に落ちて終端し、そこから次の突起部１１の傾斜面１１Ａが同様に持ち上がる。キャップ本体１０の底にはウール／レーヨンからなる床面保護材であるフェルト１２が接着されている。
【００１０】
回転中空蓋２０は軟質プラスチック製で、円周に沿って溝２１Ａが設けられたリング部２１と、リング部２１の下端から延び、キャップ本体１０の４つの突起部１１に対応した４枚の舌状の板片２２を備えている。回転中空蓋２０の溝２１Ａにキャップ本体１０の上部が回転自在に嵌め込まれる。
【００１１】
そして、回転中空蓋２０がキャップ本体１０に嵌め込まれた状態で、４枚の板片２２が４つの突起部１１にそれぞれに当接するようにその長さと幅が調整されている。そして、回転中空蓋２０を回転させることにより、４枚の板片２２が、傾斜面１１Ａに沿って回転角度に応じた高さまで、４つの突起部１１上に乗り上げるように構成されている。
【００１２】
すなわち、図３（Ａ）に示すように、４枚の板片２２は突起部１１の裾の部分にできた窪み（図１（Ａ）の破線で囲まれた部分）に差し込まれるように回転中空蓋２０をキャップ本体１０に嵌め込む。そして、この状態から回転中空蓋２０を時計回りの方向に回転させていくと、４枚の板片２２が、傾斜面１１Ａに沿って回転角度に応じた高さまで、４つの突起部１１上に乗り上げ、これにより図３（Ｂ）、図４に示すように、４枚の板片２２によって囲まれた空間（破線で囲まれた柱状空間）が狭まっていく。
【００１３】
したがって、図５に示すように、椅子等の脚３０の下端を図３（Ａ）の状態の家具用脚キャップに差込み、回転中空蓋２０を時計回りの方向に回転させていくと、４つの突起部１１上に乗り上げた４枚の板片２２が椅子等の脚３０に密着させ、締め付けることができ、家具用脚キャップを密嵌装着することができる。
【００１４】
そして、回転中空蓋２０の回転角度を調整することで、４枚の板片２２によって囲まれた空間の広さを調整できるので、椅子等の脚３０のパイプ径が異なる場合にも１つの家具用脚キャップで対応することができる。
【００１５】
具体的には本発明によれば、１種類の家具用脚キャップで脚のパイプ径１５ｍｍ〜２０ｍｍのものに対応することができ、もう１種類の家具用脚キャップで脚のパイプ径２０ｍｍ〜２５ｍｍのものに対応することができる。したがって、２種類の家具用脚キャップを用意しておくだけで、１５ｍｍ〜２５ｍｍという広い範囲のパイプ径に対応することができることから、家具用脚キャップの設計・製造の工数削減、コスト低減に寄与することができる。
【図面の簡単な説明】
【００１６】
【図１】本発明の実施の形態による家具用脚キャップのキャップ本体を示す図である。
【図２】本発明の実施の形態による家具用脚キャップのキャップ本体に嵌めこまれる回転中空蓋を示す図である。
【図３】本発明の実施の形態による家具用脚キャップの上面図である。
【図４】図３（Ｂ）のＸ−Ｘ線に沿った断面図である。
【図５】発明の実施の形態による家具用脚キャップに家具用脚キャップに差込まれた状態を示した断面図である。
【符号の説明】
【００１７】
１０  キャップ本体      １１  突起部        １１Ａ  傾斜面
２０  回転中空蓋        ２１  リング部      ２１Ａ  溝
２２  板片              ３０  脚
【図１】
2008017901.tif 000003
【図２】
2008017901.tif 000004
【図３】
2008017901.tif 000005
【図４】
2008017901.tif 000006
【図５】
2008017901.tif 000007